Podtech/llm-jp-corpus-v4-ja_patent huggingface dataset:
(57)【要約】      （修正有）【課題】原油蒸留塔１基で、再蒸留，重質分解（ナフサ分解）まで行う重質油分解装置付原油蒸留塔を提供する。【解決手段】重質油分解装置付原油蒸留塔の重質留分抜き出しポンプより低位の塔内に触媒充填層を設置し、各抜き出しポンプ下流にタワーボトムへのラインとフィードラインに戻るラインを設置する。このラインは温度条件、運転条件によって使い分ける事が出来る。蒸留塔にフィードされた原油は、リボイラーで焚き上げられベーパーライズしたオイルは、触媒充填層に触れ重質油レベルの多くは分解されナフサ留分となる。又、上段トレイより凝縮して落下してくるオイルも全て触媒充填層に触れてベーパーライズして行くので分解作用は問題ない。【選択図】図−１
0003154427.tif 000002
【実用新案登録請求の範囲】
【請求項１】
0003154427.tif 000005
設置する。図−１、２参照
【請求項２】
重質油分解装置付原油蒸留塔に於いて
0003154427.tif 000006
から蒸留塔ボトムへのリターンライン設置。
【請求項３】
0003154427.tif 000007
Ｌｉｎｅへのリターンライン設置。図−１参照
【考案の詳細な説明】
【技術分野】
【０００１】本発明は、原油蒸留塔１基で、再蒸留，重質分解（ナフサ分解）までをやってしまうものである。
【背景技術】
【０００２】石油プラントに於いて原油蒸留，減圧蒸留，流動接触分解装置と大きな蒸留装置があるが、原油蒸留塔一基で原油蒸留，減圧蒸留，流動接触分解この作用をやってしまおうという技術背景には、圧力及び温度この条件を満たしてやれるというレベルと理論的にも難しくなく完全可能な技術革新である。
【考案の概要】
【考案が解決しようとする課題】〔現在の石油精製に於いては、原油を蒸留塔にかけ出て来た重質油レベルの物を再蒸留（減圧蒸留装置）等にかけさらにはその重質留分を流動接触分解装置にかけて軽質留分（ナフサ）関係を多く採取してきた現状ではあるが、あまりにも行程が多く設備がかかりすぎであり全ても於いてコストダウンはもとより安全性の向上もはかりたいのが現状である。〕
【課題を解決するための手段】〔そこで本考案は原油蒸留塔内の抜き出しライン最下部より
0003154427.tif 000003
ポンプ出口に、蒸留塔ボトムへ直接リターンするラインとフィードラインに返すリターンラインを設置する。〕図−１参照
【考案の効果】〔蒸留塔にフィードされた原油は、リボイラーで焚き上げられベーパーライズしたオイルは、触媒充填層に触れ重質油レベルの多くは分解されナフサ留分となる又、上段トレイより凝縮して落下してくるオイルも全てこの触媒充填層に触れてベーパーライズして行くので分解作用は問題ない。図−１、２参照
0003154427.tif 000004
ナフサの収量もさらに上げる事も出来るし、リターンラインの使い方、運転条件の少しの変化で中間留分も収量を上げる事が出来るこうなると再蒸留塔（減圧蒸留塔）や流動接触分解装置も必要なくなるはずである。〕図−１参照
【図面の簡単な説明】
【図−１】重質油分解装置付原油蒸留塔を示した図と廻りの簡単な配管と付帯機器を示した平面図である。
【図−２】触媒充填層を上から見た図と側面断面図である。
【産業上の利用可能性】〔石油業界に於いて最もコストが高くつくのは原油価格と設備であるが、原油価格が高い時こそ付加価値の高いナフサ等の収量を上げるのが望ましいがそうなると大きな設備投資が必要となってくる、しかし本考案の示す所は原油蒸留塔に触媒層の設置と抜き出しラインのポンプ出口にリターンラインを設置するというものであるこうなれば省スペース，省動力費，省電力，設備の削減，人員の削減すべてのコストダウンと安全性までもが、向上するのは間違いない。〕
【図−１】
0003154427.tif 000008
【図−２】
0003154427.tif 000009
【手続補正書】
【提出日】平成21年5月18日(2009.5.18)
【手続補正１】
【補正対象書類名】実用新案登録請求の範囲
【補正対象項目名】全文
【補正方法】変更
【補正の内容】
【実用新案登録請求の範囲】
【請求項１】
蒸留塔の半製品抜き出しラインの最下段より下部に重質油分解用触媒層を設置することによりこの蒸留塔は、重質油分解装置付原油蒸留塔。
【請求項２】
蒸留塔に於いて半製品の抜き出しラインを軽質留分、中間留分、重質留分と大別して中間留分、重質留分の抜き出しラインより蒸留塔ボトムへ返すリターンラインを設置する
これにより蒸留塔は、中間留分、重質留分を再蒸留出きる再蒸留塔。
【請求項３】
蒸留塔の半製品である中間留分、重質留分この抜き出しラインから蒸留塔の前のＦｅｅｄラインに返すリターンラインを設置することで中間留分、重質留分を再蒸留出来る再蒸留塔。
【手続補正書】
【提出日】平成21年7月21日(2009.7.21)
【手続補正１】
【補正対象書類名】実用新案登録請求の範囲
【補正対象項目名】全文
【補正方法】変更
【補正の内容】
【実用新案登録請求の範囲】
【請求項１】
塔の半製品抜き出しラインの最下段より下部に触媒充填層を設置したことを特徴とする重質油分解装置付原油蒸留塔。
【請求項２】
塔の半製抜き出しライン中間留分、重質留分の抜き出しラインから塔のボトムへリターンラインを設置したことを特徴とする請求項１記載の重質油分触装置付原油蒸留塔。
【請求項３】
塔の半製品抜き出しライン中間留分、重質留分の抜き出しラインから塔のサクションフィードラインにリターンラインを設置したことを特徴とする請求項１記載の重質油分解装置付原油蒸留塔。
【手続補正２】
【補正対象書類名】図面
【補正対象項目名】図−１
【補正方法】変更
【補正の内容】
【図−１】
0003154427.tif 000010
(57)【要約】      （修正有）【課題】車両に要求される接触面及び回転角を備えた回転柔軟性を有するボールジョイントを提供する。【解決手段】ボールジョイント５は、直径の異なる上半球体４及び下半球体１を備えるボールヘッドを含む。下半球体１は、上半球体４よりも大きい。上半球体４及び下半球体１の間の接続部に肩部２が形成されている。肩部２の表面は、ボールジョイント５の軸に対し垂直であり、且つ上半球体４の中心よりも１〜２ｍｍ低い。ヘッドは、ボールジョイント５が摩耗し又はひどく引っ張られたときにも、ボールシートから抜け出さないようになっている。【選択図】図１
0003154421.tif 000002
【実用新案登録請求の範囲】
【請求項１】
上半球体（４）よりも大きい下半球体（１）を備えたボールヘッドを含む車両用ボールジョイント（５）であって、
上記下半球体（１）と上記上半球体（４）との間の接続部に形成された肩部（２）の表面が、ボールジョイント（５）の軸に対し垂直であり、且つ上記下半球体（１）の肩部が上記上半球体（４）の中心（３）よりも低いことを特徴とする車両用ボールジョイント。
【請求項２】
請求項１記載の車両用ボールジョイントにおいて、
上記下半球体（１）の肩部は、上記上半球体（４）の中心（３）よりも１〜２ｍｍ低いことを特徴とする車両用ボールジョイント。
【考案の詳細な説明】
【技術分野】
【０００１】
本実用新案は、車両用ボールジョイント組立体のボールジョイントに関するものである。
【背景技術】
【０００２】
東風、解放、ＢＭＷ及びトヨタのような国内及び外国のトラクタ及び自動車に現在用いられているボールジョイントのボールヘッド部は、常に一体型ボールである。この種のボールジョイントは、特にそのネック部が容易に摩耗し易く緩み易い。摩耗又は緩みが生じた場合、少なくとも、車両の安定性及び快適性に影響し、自動車部品の運動干渉に影響し、例えば前輪のトーインといった幾何学的配置を破壊し、且つ、例えばタイヤ摩耗といった部品故障の時期を早め、更に悪いことに、ボールジョイントがボールシートから外れることで操縦性を失わせ、重大な機械的事故又は交通事故を招くことになる。概して言えば、現在のボールジョイントは、安全性及び信頼性が欠如している。
【０００３】
発明の名称を「耐久性があり且つ前締め付け力を自動調整可能な脱落しない車両用ボールジョイント組立体」とする中国特許公告の特許番号第ＺＬ２００４２００３５３０９．６号、公告番号ＣＮ２７００１８４号には、上半球体よりも大きい下半球体を有するボールジョイントが開示されている。この特許は、ボールジョイントのボールの下半球体及び上半球体の正確な大きさ及び位置を与えていないので、ボールジョイントの揺動角度が制限され、規定された３０°より小さくなる。そのような場合には、上半球体と上側ボール碗との接触面を最大面積とすることができず、要求される効果が得られない。
【考案の開示】
【考案が解決しようとする課題】
【０００４】
本実用新案の課題は、車両に要求される接触面及び回転角を備えた回転柔軟性を有するボールジョイントを提供することにある。
【課題を解決するための手段】
【０００５】
上述の課題を解決するために、直径の異なる上半球体及び下半球体を備えたボールヘッドを含む車両用のボールジョイントを提供する。下半球体は、上半球体よりも大きい。上半球体と下半球体との間の接続部に形成された肩部の表面は、ボールジョイントの軸に対し垂直である。下半球体の上記肩部は、上半球体の中心よりも低い。
【０００６】
下半球体の上記肩部は、上半球体の中心よりも１〜２ｍｍ低い。
【０００７】
本実用新案の車両用ボールジョイントを採用すれば, 肩部の上記表面はボールジョイントの軸に対し垂直であり、上記上半球体の中心よりも１〜２ｍｍ低いので、上半球体及び上側ボール碗が、最大接触面及び規定された揺動角度を得るのに有利である。規定された揺動角度が得られると、上半球体と下半球体との間の接続部に形成された肩部は、上側ボール碗の端縁によって妨げられない。たとえ、上記肩部が原因で上半球体が上側ボール碗とともにひどく摩耗しても、ボールピンがボールシートから抜け出さないようになっているので、車両の操縦性が失われない。
【考案の効果】
【０００８】
結論として、本実用新案は、上半球体よりも大きい下半球体を備えたボールヘッドを含む、車両用の脱落しないボールジョイントを提供する。ボールジョイントは、合理的なデザイン及び簡単な構造を有しており、揺動角が得られるほどしなやかに回転可能である。さらに、ボールジョイントは、ボール碗の十分な接触面積をもたらし、より高い引張強さ、衝撃強さ及びより長い疲労寿命によって、摩耗し難く且つ緩み難くなっている。その上、本実用新案によれば、ボールジョイントが摩耗し又はひどく引っ張られたときにも、ヘッドがボールシートから抜け出さないようになっているので、よりよい安全性及び信頼性をボールジョイントにもたらす。他の利点として、ボールジョイントのシート内のオイルはほとんど硬化しない。
【考案を実施するための最良の形態】
【０００９】
添付の図面に基づき、実施形態と共に本実用新案について更に説明する。
【００１０】
図１は、上半球体４よりも大きい下半球体１を備えたボールヘッドを含むボールジョイント５を示す。肩部２は、上半球体４と下半球体１との間の接続部に形成されている。肩部２の表面は、ボールジョイント５の軸に対し垂直であり、且つ上半球体４の中心３よりも１〜２ｍｍ低い。
【００１１】
図１及び図２に示すように、ボールジョイント５、上側ボール碗６及び下側ボール碗８はボールシート７に装着されており、ボールシート７の中で上側ボール碗６がボールジョイント５の上半球体４に対応適合している一方、下側ボール碗８がボールジョイント５の下半球体に対応適合している。上述の構造を採用したボールジョイント５には以下の利点がある。ボールジョイント５の下半球体１は、上半球体４よりも大きいので、それらの間に形成された肩部は、上半球体の中心４よりも１〜２ｍｍ低い必要があり、こうやって、ボールジョイント５が規定された角度まで揺動可能となるとともに、上半球体４及び対応する上側ボール碗６の接触面が最大面積をとることが可能となる。接触面積の増大によりボールジョイントがより長持ちする。その上、ボールジョイント５の下半球体１は上半球体４よりも大きいので、ボールジョイント５がひどく引っ張られたときにも、ヘッドがボールシートから抜け出さないようになっていることから、ボールジョイント５が更に安全なものとなる。加えて、上半球体４と下半球体１との間に形成された肩部は、ボールジョイント５が揺動している間、絶えず潤滑油を擦るので、オイルの硬化が回避される。さらに、下半球体がより大きいことから、疲労寿命及び引張強さが増大する当該構造を有するボールジョイント５は、あらゆる種類の車両用ボールジョイント組立体に適合する。
【図面の簡単な説明】
【００１２】
【図１】本実用新案に係るボールジョイント構造の概略図を示す。
【図２】本実用新案に係るボールジョイントの使用状態の概略図を示す。
【図１】
0003154421.tif 000003
【図２】
0003154421.tif 000004
(57)【要約】【課題】  原子力発電所用コンピュータの冷却方式の近代化【解決手段】  第４世代原子力発電所のＲ＆Ｄの成果、Ｎａ水溶液を従来の水の代わりに採用するために、原子力発電所１．の運用の原子力発電所用コンピュータ２．の冷却水系統４．にイオン水製造装置３．を接続運用するもの。【選択図】      図１
0003154429.tif 000002
【実用新案登録請求の範囲】
【請求項１】
イオン水製造装置をその冷却水系統に接続しそのイオン水で、第４世代原子力発電所のＲ＆Ｄの成果Ｎａ水溶液を作り従来の水に代えてＮａ水溶液を冷却水にする原子力発電所用コンピュータ。
【考案の詳細な説明】
【技術分野】
【０００１】
本考案は、従来の原子力発電所コンピュータとしてのイオン水製造装置による第四世代原子力発電所のＲ＆Ｄの成果、従来の水に代わるＮａ水溶液を採用するためのイオン水運用原子力発電所用コンピュータに関する。
【背景技術】
【０００２】
茨城県東海原子力発電所コンピュータです。
【考案の概要】
【考案が解決しようとする課題】
【０００３】
しかしながら、東海原子力発電所では、第３世代原子力発電所のＲ＆Ｄの成果、水を冷却水蒸気用水に採用してあり、技術の近代化に遅れをとっているという欠点がある。
【０００４】
本考案は、上記実情に鑑みてなされたものであり、水以外の媒体による循環流による技術の近代化を計る事を目的としている。
【課題を解決するための手段】
【０００５】
上記目的を達成するため考案は、第四世代原子力発電所のＲ＆Ｄの成果、従来の水に代わるＮａ水溶液を採用するための水道水のイオン水製造装置をコンピュータの冷却
系統に接続運用する構成である。
【考案の効果】
【０００６】
本考案により、ラジカルなイオン水によるＮａ水溶液を冷却水にした冷却系統のイオン水運用原子力発電所コンピュータにできる。
【図面の簡単な説明】
【０００７】
【図１】本考案の原子力発電所用コンピュータを示す図である。  原子力発電所用コンピュータは、図１に示すように、原子力発電所１、原子力発電所用コンピュータ２、イオン水製造装置３、冷却水系統４、であります。
【考案を実施するための形態】
【０００８】
本考案の実施の形態の一例について、図面を参照しながら説明する。
原子力発電所用コンピュータは、図１に示すように原子力発電所１を運用する、原子力発電用コンピュータ２への冷却水系統４にイオン水製造装置３を接続してＮａ水溶液の運用とします。
【符号の説明】
【０００９】
1.  原子力発電所
2.  原子力発電所用コンピュータ
3.  イオン水製造装置
4.  冷却水系統
【図１】
0003154429.tif 000003
【手続補正書】
【提出日】平成21年4月24日(2009.4.24)
【手続補正１】
【補正対象書類名】実用新案登録請求の範囲
【補正対象項目名】全文
【補正方法】変更
【補正の内容】
【実用新案登録請求の範囲】
【請求項１】
原子力発電所で使用されるコンピュータに関して、第４世代原子力発電所のＲ＆Ｄの成果Ｎａ水溶液採用を作る水道水のイオン水製造装置をそのコンピュータの冷却水系統に接続した用途に環境技術を同じくしてコンピュータを構成する半導体装置の冷却にイオン水を運用する原子力発電所用コンピュータ。
【手続補正書】
【提出日】平成21年6月16日(2009.6.16)
【手続補正１】
【補正対象書類名】実用新案登録請求の範囲
【補正対象項目名】全文
【補正方法】変更
【補正の内容】
【実用新案登録請求の範囲】
【請求項１】
原子力発電所で使用されるコンピュータに関して、コンピュータを構成している半導体装置の冷却水の運用水は「水道水よりＮａ水溶液にメリット有り」とする第４世代原子力発電所のＲ＆Ｄの成果を具現するためＮａ水溶液を作る市販の水道水のイオン水製造装置をそのコンピュータの冷却水系統に接続し運用する原子力発電所用コンピュータ。
【手続補正書】
【提出日】平成21年8月14日(2009.8.14)
【手続補正１】
【補正対象書類名】実用新案登録請求の範囲
【補正対象項目名】請求項１
【補正方法】変更
【補正の内容】
【請求項１】
原子力発電所で使用されるコンピュータに関して、コンピュータを構成している半導体装置の冷却水の運用水は「水道水よりＮａイオン水にメリット有り」とする第４世代原子力発電所のＲ＆Ｄの成果を具現するためＮａイオン水を作る市販されている「水道水のイオン水製造装置」をそのコンピュータの冷却水系統に接続し運用する原子力発電所用コンピュータ。
(57)【要約】      （修正有）【課題】靴内部および足の指・裏の除菌、消臭を目的とした、手軽で簡単な清拭材を提供する。【解決手段】ウエットティッシュの基材ｅに、靴の中敷き形状の切り込みを入れ、中敷き形状は靴内部に敷き、内部の除菌・消臭達成し、残余の部分で、足指・足裏の除菌・消臭・汚れ落としとして使用できる手軽で簡単な清拭材。清拭材に含浸させる抗菌・消臭材料として、ホタテ貝等を焼成して得られる酸化カルシウムを主体とした貝殻焼成物の水溶液を用いる事で、除菌・消臭効果の向上と天然物由来の環境・安全性に配慮した清拭材。【選択図】図２
0003154460.tif 000002
【実用新案登録請求の範囲】
【請求項１】
靴の中敷き形状の切り込みを入れた消臭・抗菌剤含浸のウエットティッシュタイプの清拭材。
【請求項２】
含浸させる消臭・抗菌剤はホタテ貝や牡蠣またはホッキ貝を焼成して得られる酸化カルシウムを主成分とする焼成物の水溶液。
【考案の詳細な説明】
【技術分野】
【０００１】  本考案は消臭・抗菌剤を含浸させたウエットティッシュタイプの清拭材に靴の中敷き形状の切り込みを入れ、靴内部の消臭・除菌、および靴の使用の前後に足指・足裏などの消臭・除菌・汚れ落としを目的に使用できる衛生材料に関するものである。
【背景技術】
【０００２】  従来の消臭・抗菌を目的とした靴の中敷きの材料は、紙または布または不織布などに消臭・抗菌剤を練り込み、またはコーティングし中敷き材を成形し靴内部の消臭・抗菌を期待するものである。【０００３】  靴の保管時の消臭剤としては、各種活性炭を袋状に詰めたものを靴内に差込み使用する例が多い。【０００４】  また、アルコールや有機化学系の材料を水溶液に溶かし、スプレーで靴内を噴霧し消臭・抗菌を達成する例も見受けられる。【０００５】  一方、清拭材としては通常のウエットティッシュのように手足の指に付着した汚れを落とすことを目的にしたものが多い。
【考案の概要】
【考案が解決しようとする課題】
【０００６】  靴内部の消臭・抗菌を目的として、中敷きを用いる方法では、靴使用後の足の指または足裏に残った汗・汚れに対応できない。【０００７】  靴内に中敷きを敷き使用する場合、靴の履き心地が悪くなったり、違和感を感じる。【０００８】  靴保管時の消臭機能に加え、持続的な抗菌機能が必要。【０００９】  かさ張らず、携帯または据え置いて、どこでも簡単に使える利便性が必要。
【課題を解決するための手段】
【００１０】  清拭材をウエットティッシュタイプにすることにより、かさ張らず、どこでも簡単に持ち運びでき、靴の中及び足の指・裏を清潔にしておくことができる。【００１１】  清拭材には、消臭・抗菌を目的としてホタテ・牡蠣・ホッキ等貝殻を焼成させて得られる酸化カルシウムを主成分とする焼成物の水溶液を基材に含浸させる。【００１２】  清拭材の基材は、不織布または布または紙を用いる。【００１３】  清拭材に予め、靴の中敷き形状の切り込みを入れることにより、外周部との接続部を簡単に手で引きちぎることができ、取り出して中敷き材として、靴内に挿入し、消臭・除菌をすることができる。【００１４】  中敷き材として取り出した残余の清拭材で足指や足裏を無駄なく清拭することができる。
【考案の効果】
【００１５】  清拭材の基材に含浸させる水溶液には、ホタテ・牡蠣・ホッキ貝等を焼成させて得られる酸化カルシウムを主成分とする焼成物の水溶液を用いることで、この水溶液のアルカリが有する抗菌力とホタテ貝殻焼成物自体が持つ強い抗菌活性力を、表１に示す通り、得ることができる。【００１６】
【表１】
0003154460.tif 000003
【００１７】  この水溶液を用いた清拭材を靴内に中敷きし、また足指・足裏の清拭を行うことで、靴内部の除菌や皮膚においては皮脂及び汗を分解する細菌の活動を抑え、消臭・除菌を達成することができた。【００１８】  さらに、最近の研究により貝殻焼成材の水虫予防効果も期待されている。【００１９】  図１に示すように清拭材に靴の中敷き形状の切り込みを予め入れたことから、容易に中敷きとして取り出し、靴内の底部に挿入することができた。同時に、清拭材の残余で足指や足裏を清拭し、清潔にすることができた。【００２０】  清拭材は消臭・抗菌剤を含浸させたウエットティッシュタイプであるため、従来の乾燥した消臭・抗菌剤入りの中敷きよりも、靴内部への浸透力が良く、またスプレータイプに比べ持続的な消臭・抗菌性に優れた効果を発揮できた。【００２１】  また基材が柔軟なウエットティッシュタイプであることから、足指、足裏の汗・汚れもきれいに拭き取る事ができ、清潔感を得ることができた。【００２２】  一枚の清拭材から中敷き材と拭き取り材を得ることができ、材料の無駄を無くすことができた。
【図面の簡単な説明】
【００２３】
【図１】靴の中敷き形状の切り込み入れた不織布などの基材
【図２】靴の中敷き形状の切り込みを入れた消臭・抗菌剤含浸の清拭材と収納容器
【考案を実施するための形態】
【００２４】  基材の大きさは、縦２０センチ、横３２センチ、厚さ０．５ミリから１ミリの不織布が適当である。図１に示すように、基材には靴の中敷き形状の切り込みが入っている。切り込みのない部分は幅２ミリから３ミリ程度で、手で引っ張ることにより容易に基材外周部と中敷き部とを切り離すことができる。
【００２５】  中敷きは靴の底面に正確に適合する必要はなく、多少サイズが大きめのほうが消臭・除菌の面積が増え、より効果的である。ここではほとんどの靴のサイズをカバーする中敷きとするため、中敷きの長径を３０センチとした。
【００２６】  基材全体には消臭・抗菌剤としてｐＨ１０．０前後のホタテ貝殻焼成物の水溶液を６グラムから１０グラム程度含浸させるのが望ましい。
【００２７】  基材に予め、靴の中敷き形状の切り込みを入れ、消臭・抗菌剤を含浸させた基材を、折りたたみ、図２に示すように密閉型の容器に収納する。
【００２８】  本考案の不織布には消臭・抗菌機能を目的として、一枚当たり、６グラムから１０グラム程度の水溶液を含浸させるが、この程度の水分量は不織布自体に水分保持能力があることから、靴内を湿潤させることはない。
【００２９】  以上、「考案を実施するための形態」及び図１で記述している基材のサイズ、中敷きの形状、切り込みのない部分の個数及び配置、含浸させる消臭・抗菌剤の種類については望ましい形態であって、本考案の範囲を制限するものではない。
【符号の説明】
【００３０】    ａ…ウエットティッシュ基材外周部
ｂ…切り込みがない部分
ｃ…切り込み
ｄ…中敷き部分
ｅ…ウエットティッシュ基材
ｆ…収納容器
ｇ…蓋の役割を果たすシール
【図１】
0003154460.tif 000004
【図２】
0003154460.tif 000005
【手続補正書】
【提出日】平成21年7月16日(2009.7.16)
【手続補正１】
【補正対象書類名】実用新案登録請求の範囲
【補正対象項目名】請求項２
【補正方法】変更
【補正の内容】
【請求項２】
ホタテ貝や牡蠣またはホッキ貝を焼成して得られる酸化カルシウムを消臭・抗菌剤として用いることを特徴とする請求項１記載の清拭材。
(57)【要約】      （修正有）【課題】製造法を簡略化できる上に、微妙な香りを自由にコントロ−ルでき、原料異臭もないことにより、香料本来の成分が素直に揮散するお香を提供する。【解決手段】植物性撚糸及び植物性紐に、天然抽出香料及び各種化学香料を組み合わせた調合香料を、含有又は担持させてなる。【選択図】図２
0003154481.tif 000002
【実用新案登録請求の範囲】
【請求項１】
天然抽出香料及び各種化学香料を組み合わせた調合香料を含有、又は担持してなる植物性撚糸及び植物性紐を用いたお香。
【請求項２】
天然抽出香料及び各種化学香料を組み合わせた調合香料と、炭化物を混ぜたものを含有、又は展着してなる植物性撚糸及び植物性紐を用いた消臭機能のあるお香。
【考案の詳細な説明】
【技術分野】
【０００１】物を燃焼させたり、燻煙させたりすると必ず発生する煙は、拡散力や伝達力が非常に高く、目的とする成分を隅々まで瞬時に広める力がある。これを活かし、心豊かに楽しんだり、癒し効果のある香料を含有又は担持してなる植物性の撚糸或いは紐状のお香及び炭化物を付加し消臭機能を持たせたお香に関するものである。
【背景技術】
【０００２】これまで長年に渡って数多くの技術革新、開発がなされ、種々の製品が世に出されています。しかし使用されている原料は、樹木の幹  葉  皮、植物の葉  花  実  茎、漢方薬、香辛料或いは香木  等を粉末或いはチップ状にしたものを主及び副材料としており  現代人  特に若者たちにとかく敬遠されがちな原料臭（抹香臭さ）が解消されていない。従って  これらを払拭するには、基材を改革しなければならないのではないか  と考え  目をつけたのが  例えば麻（黄麻、苧麻、亜麻）、木綿、ケナフ、竹、葦、楮、三椏  等を紡いだ植物性撚糸或いは紐状のものである。これらは香りを  素直に出すことは勿論のこと、燃焼或いは燻煙時にも異臭が少なく、微妙で微かな香りを必要とする分野には大変好ましい材料と言える。
複雑な社会状況の下では、仕事の疲労やストレス、うつ病、人間関係のあつれき  等々が大きな問題としてあります。そこで様々な香りを利用した癒しとして、代表的なアロマコロジ−（芳香効果）などが上げられる。特に使用法が簡単なお香は、心の安らぎや緩和を求め普及している。しかし香りについては、芳香の強い成分や香りの種類により  人によっては好き嫌いもあり、その香りが嫌いな人には逆効果になるなど学術的には立証されにくいこともある様です。
【考案が解決しようとしている課題】
【０００３】近年  いろいろな疾病がストレスによるものであると言われ、多くの機関分野で研究されています。特に芳香成分による癒しの効用  アロマコロジ−（芳香効果）は広く普及しています。香りによるストレスの緩和、集中力のアップ、気分転換  等に大いに重宝されています。その中でもお香は、手軽で且つ香りの拡散が早いことなどから利用されています。微妙で繊細な香りを楽しむ方々にとって、原料臭（抹香臭さ）を解消し、香料本来の成分を活かす方法として、本考案に至りました。
【課題を解決するための手段】
【０００４】本考案は、従来のお香の製造方法及び原料を全く廃し、植物性の繊維  例えば麻（黄麻、苧麻、亜麻）、木綿、ケナフ、竹、葦、楮、三椏  等を紡ぎ撚糸したもの或いは紐状に加工したものに、天然抽出香料或いは、各種化学香料を組み合わせた調合香料を直接浸漬したり、或いはデンプン、ＰＶＡ、アラビアガム  等の糊剤で担持させて後、適当な寸法にカットすることにより容易に商品化できる。  従来のお香の製造方法の様に原料粉を混合・混練を経て棒状に成型した後、乾燥して商品化する手数や熟練技や日数も必要なく容易に製造できる。また  この方式でできたものは、火をつけて消した後  燻煙状態にしても従来の様な原料臭の全くない  香料本来の香りのみが  強弱自由にコントロールしつつ拡散させることが可能となる。
また  前記植物性の繊維を紡ぎ撚糸したもの或いは紐状に加工したものに、炭化粉末（例えば木炭、竹炭、草炭、活性炭）等をデンプン、ＰＶＡ、アラビアガム  等の糊剤で展着させることにより、燻煙時に発生するＶａｐｏｕｒ中の炭素分子が拡散し、吸着作用による消臭機能を持たせたお香が可能となり本考案に至りました。なお  考案の植物性の繊維を撚糸したもの或いは紐状に加工したもののほか、布帛を裁断したもの、織物状テ−プであってもよい。
【０００５】本考案の前記芳香剤としては、天然抽出香料或いは各種化学香料を組み合わせた調合香料を植物性の繊維を撚糸或いは紐状にしたものに、糊剤を使用しディッピング加工或いはロ−ルコ−ティング或いはスプレ−法  等で担持加工する。
【０００６】本考案の前記炭化粉末としては、木炭、竹炭、草炭、活性炭  の１種或いは２種以上を組み合わせたものを、糊剤を使用し植物性の繊維を撚糸或いは紐状にしたものに、ディッピング加工或いはロ−ルコ−ティング或いはスプレ−法  等で展着加工する。
【考案を実施するための形態】
【０００７】図１及び図２に示す様に、植物性の繊維を撚糸或いは紐状としたものに、各種香料類或いは炭化粉末を加工する。
【考案の効果】
【０００８】本考案のお香は、植物性の繊維を撚糸或いは紐状のものを一から製造した上で、香りの加工を加えているが、市販の植物性糸或いは紐類或いは布帛を裁断したもの或いは織物状テ−プを用いることが実用性に優れている。
【図面の簡単な説明】
【０００９】
【図１】香りの担持
【図２】消臭機能の付加
【符号の説明】
【００１０】１  植物性の繊維を撚糸或いは紐状のもの
２  香料＋糊剤  の混合物
３  炭化物＋糊剤  或いは炭化物＋糊剤＋香料
【図１】
0003154481.tif 000003
【図２】
0003154481.tif 000004
(57)【要約】      （修正有）【課題】溶接出来ず、接着でしか固定できなかった二種類の地金を、溶接した身飾り品を提供する。【解決手段】地金の融点の違いに着目し、融点の高い地金を先にキャストし、融点の低い地金をキャストする前にセットし、キャスト後に溶接された状態に仕上げる。【選択図】図１
0003154450.tif 000002
【実用新案登録請求の範囲】
【請求項１】
従来の地金（貴金属）のキャスト後に溶接（ロー付け）させる事の出来ない二種類の地金（貴金属）に対し、キャスト前のワックスの時点でパーツをセットし、キャストをする時点でその二種類の地金（貴金属）を溶接（ロー付け）させた身飾り品（ジュエリー）である。
【考案の詳細な説明】
【技術分野】
【０００１】  本考案は従来のキャスト後に接着していたパーツをキャスト時に同時に溶接（ロー付け）した身飾り品（ジュエリー）である。
【背景技術】
【０００２】  従来接着剤を使っていた工程を、強度を増す為に溶接（ロー付け）する為に開発。
【考案の開示】
【考案が解決しようとする課題】
【０００３】  従来の溶接（ロー付け）である熔解が出来ない地金（貴金属）を、溶解せずに溶接（ロー付け）出来る様に解決しようとする物である。
【課題を解決するための手段】
【０００４】  地金（貴金属）の融点の違いを利用し、融点の高いパーツを低い地金（貴金属）のキャスト前にワックスにセットし、キャスト時に二つの地金（貴金属）を溶接（ロー付け）する。
【考案の効果】
【０００５】  従来、融点の違いから融点の低い地金（貴金属）のキャスト時には、融点の高い地金（貴金属）パーツは形状を保つと共に、接着剤を使用していた部分を、溶接（ロー付け）と同等の強度を可能にした。
【考案を実施するための最良の形態】
【０００６】  融点の高い地金（貴金属）を先にキャストし、パーツにする。そして、融点の低い地金（貴金属）をキャストする前のワックス状態に、そのパーツをセットしキャストすることにより、融点の高い地金は原型をとどめ、その後キャストされた地金と溶接（ロー付け）された状態になる。
【実施例】
【０００７】  以下図面に従って説明します。１、融点の高い地金（貴金属）のパーツ  ２、融点の低い地金（貴金属）をキャストするためのワックス
【図面の簡単な説明】
【０００８】
【図１】  本考案に関る、キャスト時に二種類の地金（貴金属）を溶接（ロー付け）した身飾り品の断面図の一例。
【符号の説明】
【０００９】１、  融点の高い地金（貴金属）のパーツ
２、  融点の低い地金（貴金属）をキャストするためのワックス
【図１】
0003154450.tif 000003
【手続補正書】
【提出日】平成21年7月17日(2009.7.17)
【手続補正１】
【補正対象書類名】実用新案登録請求の範囲
【補正対象項目名】全文
【補正方法】変更
【補正の内容】
【実用新案登録請求の範囲】
【請求項１】
地金でキャストされた２種類以上の部品、または製品を、キャストする事により溶接した身飾り品。
(57)【要約】      （修正有）【課題】簡単で安価にしかも炊きたてに近い状態を一定期間保つ炊飯ジャー保温セットを提供する。【解決手段】内釜２の内部に別途内部容器１を作成し米飯が直接熱を受けない様にし、内釜底部へ水３を入れ保温熱により容器共米飯を保温するものである。共に熱により蒸気が発生し乾燥もふせぐ。【選択図】図１
0003154445.tif 000002
【実用新案登録請求の範囲】
【請求項１】
従来より市販の「炊飯ジャー」（１００Ｖ電力使用）をそのまま利用し別途内部容器を作成し内釜底に水を入れ、保温状態で水を熱し、容器ごと米飯を保温して、一定期間炊きたてに近い状態に保つ事。
【考案の詳細な説明】
【技術分野】
【０００１】  この新案は、従来より市販の「炊飯ジャー」をそのまま利用し、一定期間炊きたてに近い状態を保たせるため考案した物である。
【背景技術】
【０００２】  現在までには、米飯を保温するためには別途の器具が必要で費用もかかり、又置き場所も必要、何かと不便でした。
【考案の開示】
【考案が解決しょうとする課題】
【０００３】  従来市販の「炊飯ジャー」でそのまま保温で使用すれば、米飯に直接熱が当たり２〜３日で乾燥して堅くなって食べれなくなりました。そこでこの新案は、その欠点をなくすための、又背景技術で記した内容も屈服するため考案したものである。
【課題を解決するための手段】
【０００４】  市販の「炊飯ジャー」をそのまま利用し内釜より少し小さい容器を作成（図１）内釜の底へ適量の水を入れ（図▲３▼斜線部）▲１▼の米飯容器を設置し中へ米飯を入れふたをし、保温スイッチを入れれば保温状態完了である。
【考案の効果】
【０００５】  図の状態になるまで試行錯誤を繰り返し実験した結果まったく問題なく２日〜７日炊きたてに近い保温状態が保てました。日常ではそんなに長く置くことなく、これにより残りの御飯を「パック〜ラップ〜アルミホイル」等にて、冷蔵庫保存したり、又それを出してレンジで熱したりの必要がなく、備品や電気の節約にもなり、いつでもふかふかの御飯が食べられ、当考案は、簡単で、しかも安価で入手でき「一石  ２〜３鳥」の効果があります。知人に多々紹介した処、感度良好で早く出品してくれと依頼も受けました。
１人〜３〜４人家族には最適であり、地球環境にやさしくの一助にもなると思われます。
【考案を実施するための最良の形態】
【０００６】  当新案のポイントは市販の「炊飯器」をそのまま利用する事。容器も安価で手に入る「ポリ系容器」で無臭無害の物で作成します。大きさは二種類で一升炊き〜５．５合炊きがあり各メーカー同一規格であり、本図の大きさは一升炊きで底面直径１８ｃｍ上部内径２０ｃｍです。注意点は、内釜底部への水量の点検で、炊飯用水目盛２．５合炊分の水を確保する事。途中で少なくなってれば補給します。後は特に問題ありません。
他の応用は、容器の中へ入れる物は、煮物、汁物等も保温可能で多々利用できます。
【図面の簡単な説明】
【０００７】
【図１】本考案の断面図である。
【符号の説明】
【０００８】▲１▼  内部容器
▲２▼  炊飯内釜
▲３▼  保温用水
【図１】
0003154445.tif 000003
【手続補正書】
【提出日】平成21年7月23日(2009.7.23)
【手続補正１】
【補正対象書類名】実用新案登録請求の範囲
【補正対象項目名】全文
【補正方法】変更
【補正の内容】
【実用新案登録請求の範囲】
【請求項１】
一升炊きの炊飯ジャーの炊飯内釜にはめ込んで、ふたをすることができる大きさの有底のポリ系等容器からなる、米飯の保温用容器。
(57)【要約】      （修正有）【課題】市販の安価な部材を使用し据え付け自在で、薄型テレビのリモコンを置いたりドライフラワ−を置いたりして使いやすく美観を感じさせる棚を設け、テレビ本来の機能に付加する飾り棚を提供する。【解決手段】薄型テレビの裏面の壁取り付け用のねじを利用し、小物を置く飾り棚を具備すると伴に、薄型テレビの廃熱を利用した安価な加湿器を実現する。銅板６に吸水紙７を冠着し、吸水紙７の下部は、水壷８に挿入し水壷８の水を毛細管現象により、吸水紙７を濡らす。吸水紙７に吸水された水分は、薄型テレビ１の廃熱で約４０℃に暖められた銅板６により暖められ、水蒸気となって室内へ放出される。ここで、吸水紙７は、吸水性の布または吸水性のある部材を使用しても良い。【選択図】図１
0003154431.tif 000002
【実用新案登録請求の範囲】
【請求項１】
薄型テレビの壁取り付け用ねじを利用し、小物を置く棚を具備した薄型テレビ飾り棚
【請求項２】
薄型テレビの熱を利用した加湿器を具備した薄型テレビ飾り棚
【考案の詳細な説明】
【技術分野】
【０００１】  この考案は、薄型テレビの機能に小物を置けるように付加機能を追加した薄型テレビ上部空間を利用した飾り棚、および薄型テレビの熱を利用した加湿器を具備した薄型テレビ飾り棚に関するものである。
【背景技術】
【０００２】  近年、ブラウン管テレビから薄型テレビが主流となっている。テレビ画面が大型化し薄型テレビ本体をテレビボードに置いたり、壁に取り付けてテレビを見ることが多い。その際、薄型テレビ本体そのものの上部は狭く利用することはでき無かった。本考案は薄型テレビ本体の上部空間を利用することに関するものである。
【考案の開示】
【考案が解決しようとする課題】
【０００３】  本考案は、市販の安価な部材を使用し据え付け自在で、薄型テレビのリモコンを置いたりドライフラワ−を置いたりして使いやすく美観を感じさせる棚を設け、テレビ本来の機能に付加する部材を提供することを目的にしている。【０００４】  薄型テレビには、液晶タイプとプラズマタイプとが有り、液晶タイプについてはバックライトを点灯に要する電力は約６０Ｗ、プラズマ型に於いては約１８０Ｗである。その電力により、薄型テレビ上部より約４０℃の熱が放出される。薄型テレビの取り付けた飾り棚の支柱を利用し受熱板にて薄型テレビの熱を吸収し当該受熱板に貼り付けた吸水紙から水蒸気を室内に放出し、冬季の乾燥によるインフレエンザ等の罹病を防止させる加湿器を提供する。なお、当該吸収紙は、その下部の水タンクから水分が補給される。
【課題を解決するための手段】
【考案の効果】
【０００５】  上記の目的を解決するために、薄型テレビの裏面の２箇所の「壁取り付け用ねじ」を利用し、飾り棚の脚部を取り付ける。【０００６】  当該「壁取り付け用ねじ」は、薄型テレビの大きさによりねじの間隔が異なるため、当該飾り棚脚部は、上下、左右自在な取り付け構造にしている。【０００７】  当該飾り棚脚部の上部に飾り棚を装着し、テレビのリモコンや記念写真等を置ける場所を提供する。【０００８】  また、飾り棚脚部に熱伝導率の良い銅板を装着し、薄型テレビから発生する熱を吸収する。【０００９】  当該銅版に吸水紙を冠着し、吸水紙の下部は、水壷に挿入し表面張力により吸水紙を濡らす。約４０℃に暖められた吸水紙の水分は、室内の水蒸気圧より高いので、蒸気となって室内に放出される。このように、薄型テレビの廃熱を利用し加湿器を具備した薄型テレビ飾り棚。
【考案を実施するための最良の形態】
【００１０】    図１は、本考案に係る薄型テレビ飾り棚の一実施例説明図、図２は本考案に係る加湿器の一実施例説明図を示している。【００１１】  図１において、薄型テレビ１（点線で図示）。当該薄型テレビの上部空間を利用し小物を置く飾り棚２を装着した。【００１２】  飾り棚２は、薄型テレビ１を壁に取り付けるための裏面の壁取り付け用ねじ３の２個を利用し、飾り棚脚部４を薄型テレビ１に装着し、当該飾り棚脚部４の上部に飾り棚２を装着する。【００１３】  飾り棚脚部４は、薄型テレビ１の大きさにより壁取り付け用ねじ３の間隔および高さが異なるため、複数の穴５が用意されている。【００１４】  図２において、飾り棚脚部４−１は、飾り棚脚部４の別の実施例であり、薄型テレビの大きさに対応して用意された飾り棚脚部である。当該飾り棚脚部４−１には、熱伝導率の良い銅板６を装着し、薄型テレビ１から発生する熱を吸収する。【００１５】  当該銅板６に吸水紙７を冠着し、吸水紙７の下部は、水壷８に挿入し水壷８の水を表面張力により、吸水紙７を濡らす。吸水紙７に吸水された水分は、薄型テレビ１の廃熱で約４０℃に暖められた銅板６により暖められ、水蒸気となって室内へ放出される。ここで、吸水紙７は、吸水性の布または吸水性のある部材を使用しても良い。
このようにして、特に冬季の湿度低下によるインフレエンザ等の罹病を防止する。
【産業上の利用可能性】
【００１６】  以上説明した如く、本考案によれば、薄型テレビ上部の未利用な空間を使い、薄型テレビのリモコンを置いたり、ドライフラワ−使いやすく美観を感じさせる棚を設け、テレビ本来の機能に付加する部材を提供する。
併せて、簡易加湿器を具備して、冬季の室内の乾燥を予防している。
【図面の簡単な説明】
【００１７】
【図１】    本考案に係わる薄型テレビ飾り棚の一実施例説明図である。
【図２】    図１の薄型テレビ飾り棚に取付かた加湿器の一実施例説明図である。
【符号の説明】
【００１８】    １  薄型テレビ
２  飾り棚
３  ねじ
４  脚
４−１  脚
５  穴
６  銅板
７  吸水紙
８  水壷
【図１】
0003154431.tif 000003
【図２】
0003154431.tif 000004
【手続補正書】
【提出日】平成21年7月15日(2009.7.15)
【手続補正１】
【補正対象書類名】実用新案登録請求の範囲
【補正対象項目名】全文
【補正方法】変更
【補正の内容】
【実用新案登録請求の範囲】
【請求項１】
薄型テレビの壁取り付け用ねじを利用し、小物を置く棚を具備した薄型テレビ飾り棚
【請求項２】
飾り棚の脚部に、薄型テレビから発生する熱を利用した加湿器を具備した請求項１の薄型テレビ飾り棚
(57)【要約】      （修正有）【課題】肩幅の広いシャツやセーターなどがずれ落ちないハンガーを提供する。【解決手段】該ハンガーは、ハンガー本体１とフック２及びピンチ３より成り、肩幅の広いシャツやセーターなどを掛けるときに背中側のタグ近傍を重ねてつまめる様にフック２の下側にピンチ３を配置して構成する。【選択図】図３
0003154432.tif 000002
【実用新案登録請求の範囲】
【請求項１】
ハンガー本体の中央部にフックと取り付けたハンガーであって、前記ハンガー本体のフックの下側にピンチを取り付けたことを特徴とするハンガー。
【考案の詳細な説明】
【技術分野】
【０００１】  本考案は洋服の型崩れを防ぐハンガーにかんする物である。
【背景技術】
【０００２】  従来のハンガーだと肩幅の広いシャツ、セーター等がずれ落ちやすい。
【考案の開示】
【考案が解決しようとする課題】
【０００３】  本考案は肩幅の広いシャツ、セーターなどがずれ落ちないハンガーを提供するのが課題である。
【課題を解決するための手段】
【０００４】  本考案が提供するハンガーは、ハンガー本体の中央部にフックを取り付けたハンガーであって、前記ハンガー本体の下側にピンチを取り付けたものである。
【考案の効果】
【０００５】  シャツやセーターのタグの部位をピンチでつまむことが出来るので、シャツやセーターがずれ落ちない。
【考案と実施するための形態】
以下、図１〜図３によって本考案の実施の形態を説明する。図において、１はハンガー本体、２はハンガー本体１のフック、３はハンガー本体１フック２の下側に取り付けたピンチである。
例えば、肩幅の広いシャツをハンガーに掛ける場合は、図のように背中側のタグ近傍を重ねてピンチでつまむ。このようにするとシャツはずり落ちない。
【図面の簡単な説明】
【０００６】
【図１】実施例のハンガーの正面図
【図２】実施例のハンガーの斜視図
【図３】実施例のハンガーの使用状態を示す背面図
【符号の説明】１．ハンガー本体
２．フック
３．ピンチ
【図１】
0003154432.tif 000003
【図２】
0003154432.tif 000004
【図３】
0003154432.tif 000005
(57)【要約】      （修正有）【課題】中間軸受が不要で、メンテナンスが簡単なスクリューコンベアーを提供する。【解決手段】中間軸受に代わるものとして、超高分子量樹脂製のスクリューコンベアー羽根の両側に取り付けたチップにかぶせた羽根押えとスクリューコンベアーケースライナーを接触させることにより軸を直線に保つ。【選択図】図２
0003154496.tif 000002
【実用新案登録請求の範囲】
【請求項１】
長いスクリューコンベアーの中間軸受に代わるものとして、軸の最大撓み部のスクリューコンベアー羽根の両側にスクリューコンベアー羽根と同一形状の超高分子量樹脂製チップと羽根押えを取り付け、羽根押えとスクリューコンベアーケースに取り付けた超高分子量樹脂製ライナーが接触し、軸が直線になり、接触部は摩擦係数が小さく、摩耗も少ない超高分子量樹脂を使用することにより中間軸受の機能を発揮することを特徴とするスクリューコンベアー。
【考案の詳細な説明】
【技術分野】
【０００１】  本考案は中間軸受を不要にした、長いスクリューコンベアーに関するもの。
【背景技術】
【０００２】  従来長いスクリューコンベアーは、スクリューコンベアー羽根軸の中間部が自重で撓み、軸に固定されている羽根の先端部がスクリューコンベアーケース内側と接触し、スクリューコンベアーの運転に支障をきたすため、中間部にオイルレスメタル等を使用した軸受を設けている。
【先行技術文献】
【０００３】
【非特許文献１】作新工業株式会社  ニューライトカタログ  ２００９年Ｐ１，２
【非特許文献２】三ツ星ベルト株式会社  超高分子量ポリエチレンカタログ  Ｐ７、８
【考案の概要】
【考案が解決しようとする課題】
【０００４】  従来の長いスクリューコンベアーは中間部が自重で撓むため、中間部にオイルレスメタル等を使用した中間軸受を設けていた。【０００５】  しかし、オイルレスメタルが摩耗し、これを１ないし２年の頻度で交換している。【０００６】  本考案は、このように従来抱えていた問題を解決し、長寿命のスクリューコンベアーを実現することを目的とするものである。
【課題を解決するための手段】
【０００７】  本考案は、スクリューコンベアー中間部最大撓みが起こる部分の羽根に、摩擦係数が小さく、摩耗に対して強い超高分子量樹脂を使用する。【０００８】  スクリューコンベアー軸は自重で撓み、スクリューコンベアー羽根がスクリューコンベアーケースにあたる。その部分のスクリューコンベアー羽根だけ外形を大きくし、スクリューコンベアーケースの方には超高分子量樹脂をライナーとして当てる。スクリューコンベアー羽根の外形寸法とスクリューコンベアーケースのライナー厚みはスクリューコンベアー羽根部とスクリューコンベアーケースの隙間で決定する。スクリューコンベアー羽根部とスクリューコンベアーケースの接触部を超高分子量樹脂にすることで軸の自重を支えると共に、摩擦を少なくし、磨耗量も減らすことが出来る。【０００９】  スクリューコンベアー羽根の外形を大きくする手段として、既存の羽根の両側に既存のスクリューコンベアー羽根と同じ形状に加工した超高分子量樹脂のチップを取り付ける。スクリューコンベアーケースライナーもスクリューコンベアーケースに添った形状に加工する。チップ先端には超高分子量樹脂製の羽根押えを取り付ける。
この加工はチップ、ライナーとも型に添わしたまま油槽で１００℃から１２０℃に加温し両者とも定温になったところで油槽から取り出し急冷し、成型する。羽根押えは８０℃程度に油槽内で温め柔軟にしてはめ込む。
【考案の効果】
【００１０】  従来の中間軸受を無くし、羽根押えとケースライナーを接触させ軸を受ける構造にした。そのことで中間軸受を無くした長いスクリューコンベアーを提供できる。
【図面の簡単な説明】
【００１１】
【図１】本考案のスクリューコンベアー組立図である。
【図２】本考案のスクリューコンベアー羽根部断面図である。
【図３】本考案のスクリューコンベアー中間部断面図である。
【考案を実施するための形態】
【００１２】  スクリューコンベアー羽根の外形を大きくするため、スクリューコンベアー羽根の両側に超高分子量樹脂で出来た羽根形状のチップをＳＵＳ製ボルトで留めてあてがう。
チップには超高分子量樹脂の羽根押えを先端に取り付ける。
スクリューコンベアーケースには同じく超高分子量樹脂のライナーをＳＵＳ皿ビス留めにて固定する。
【実施例】
【００１３】  以下、添付図面に従って実施例を説明する。油槽で成型されたスクリューコンベアーケースライナー４をスクリューコンベアーケース１にＳＵＳ皿ビスで留め固定する。【００１４】  スクリューコンベアー羽根３の両側に油槽で成型されたチップ５を取り付ける。チップの先端に羽根押え６を取り付ける。このとき羽押え６がスクリューコンベアーケース１に接するところで位置決めしＳＵＳ製ボルトで固定する。【００１５】  本考案の実施例は上述のごとき構成からなるもので、これにより中間軸受けを無くした長いスクリューコンベアーを製作可能にした。
【符号の説明】
【００１６】  １スクリューコンベアーケース
２スクリューコンベアー羽根軸
３スクリューコンベアー羽根
４スクリューコンベアーケースライナー
５チップ
６羽根押え
【図１】
0003154496.tif 000003
【図２】
0003154496.tif 000004
【図３】
0003154496.tif 000005
(57)【要約】      （修正有）【課題】単純な構造の一本の棒状体を他人の手を借りず自ら体の凝った適応する患部に直接あて適した強度で患部に指圧するマッサージ棒を提供する。【解決手段】棒状体の左右の先端に２、３丸みを有する球体を付け、その内側に一定の間隔をとり輪を付ける。その球体、輪の部分を主に握り部とする。棒状体の中間部周辺の太さは、棒状体の左右の先端の太さより太めにし、その中間部分１、にラセン状の溝を数本作る。ラセン状の部分は凹みがあり、ゴツゴツして刺激を与えられ複数の適応する患部を和らげられる。【選択図】図１
0003154461.tif 000002
【実用新案登録請求の範囲】
【請求項１】
比較的重い硬い強度のある材質で、棒状体の左右の先端に、丸みを有する球体を付け、その内側に一定の間隔とり輪を付ける。その球体、輪の部分を主に握り部とする万能マッサージ棒。
【請求項２】
棒状体の中間部周辺の太さは、棒状体の左右の先端の太さより太めにし、その中間部を中心にラセン状の溝を数本作ることを特徴とする１本の棒状体からなる万能マッサージ棒。
【請求項３】
指圧、マッサージ以外の別な用途として、散歩するとき、又は運転者の車の中に万能マッサージ棒を持参し、時にはこん棒としても利用できる。
【考案の詳細な説明】
【技術分野】
【０００１】本考案は、比較的重い硬い強度のある材質で、棒状体の左右の先端に、丸みを有する球体を付け、その内側に一定の間隔とり輪を付ける。その球体、輪の部分を主に握り部とする。
また、棒状体の中間部周辺の太さは、棒状体の左右の先端の太さより太めにし、その中間部を中心にラセン状の溝を数本作ることを特徴とする１本の棒状体からなる指圧・マッサージ棒に関するものである。
【考案の概要】
【産業上の利用分野】
【０００２】本考案は、単純な構造にて、自分で行う指圧、マッサージ具に関するものである。
また、別の用途として、散歩するとき、又は運転者の車の中に持参し、時にはこん棒として利用できる。
【背景技術】
【０００３】短い棒状体の先端部に突起。また、棒状体に紐状体を連結、球体を数個付設、磁気を取り入れたものなど。更に曲がりのある棒状体にローラを付設した指圧、マッサージ具が大部分である。
【考案が解決しようとする課題】
【０００４】一本の棒状体で、他人の手を借りず体の血行が悪くなった凝った適応する患部に対して、直接適した強度で、患部を和らげることを解決しょうとするものである。
【課題を解決するための手段】
【０００５】１本の棒状体からなる単純な構造であるが、体の凝った適応する患部に直接マッサージ棒を両手、又は、片手で持ってあて、転がしたり、たたいたり、押したり、また、両端の握り部、丸みを有する部分を利用し転がしたり、押したりすることによって、適応する患部を和らげ複数の利用ができる。
【実施例】
【０００６】図１、図２、図３により実施例を説明する。１本の棒状体の左右の先端、図１の２、３、を両手で持ち、直接、体の凝った適応する患部に図１の１の部分を当てて転がしたり、たたいたり、押したりする。また、棒状体の左右の先端、図１の２、３を適応する患部にあて指圧のように押す。または、転がしたりする。
【考案の効果】
【０００７】他人の手を借りず、体の血行が悪くなった凝った適応する患部、腰の周りの内臓脂肪を取り除く作業に対して、適した強度で指圧、マッサージを行うことができ、楽しみながらコリをほぐすことができる。特に図３のラセン状の溝があるので、棒状体の中間部周辺に凹みがあり凝った適応する患部に対して刺激を与えることができる。
【図面の簡単な説明】
【０００８】
【図１】万能マッサージ棒の全体斜視図である。
【図２】万能マッサージ棒の両端の側面図である。
【図３】万能マッサージ棒の中間部ラセン状側面図である。
【図４】万能マッサージ棒の左右側面図
【符号の説明】１、両端より太目の中間部分、ラセン状
２、両端の握り部、輪
３、両端の握り部、球体
４、中間部周辺のラセン状の溝
５、左右側面からの中間部、太目の部分
【図１】
0003154461.tif 000003
【図２】
0003154461.tif 000004
【図３】
0003154461.tif 000005
【図４】
0003154461.tif 000006
【手続補正書】
【提出日】平成21年7月15日(2009.7.15)
【手続補正１】
【補正対象書類名】実用新案登録請求の範囲
【補正対象項目名】全文
【補正方法】変更
【補正の内容】
【実用新案登録請求の範囲】
【請求項１】
比較的重い硬い強度のある材質で、棒状体の左右の先端に丸みを有する球体を設けると共に、その内側に一定の間隔をおいて輪を設置することで握部を構成し、棒状体の中間部周辺の太さは、棒状体左右の先端の太さより太めにし、その中間部を中心にラセン状の溝を数本設置することを特徴とする１本の棒状体からなる万能マッサージ棒。